(57)【要約】【課題】エアカーテンを良好に形成して温度調整能力の低下を抑制すること。【解決手段】ケース本体１の内部の収納室２と、収納室２に設けられた商品載置棚２０とを備え、商品載置棚２０は、収納室２に設けられた支持部材３０と、商品を載置する面を有して支持部材３０に支持された棚板２１と、支持部材３０に上下に移動可能に配設され、下方位置に配置された場合には棚板２１を水平姿勢にさせ、上方位置に配置された場合には棚板２１を傾斜姿勢にさせる棚ガイド部材４２と、棚板２１の下方域に設けられ、収納室２の背面パネル４に形成された吐出口５から吐出された空気を、前端縁部が棚板２１との間で形成したガイド吹出口９より吹き出すことによって収納室２の前方部分にエアカーテンを形成する通風ガイド部材５０とを備え、通風ガイド部材５０は、棚板２１が水平姿勢又は傾斜姿勢とされても、ガイド吹出口９の開口面積が維持されるよう配設されている。【選択図】図１４
2018130335.tif 000002
【特許請求の範囲】
【請求項１】
前面に開口を有したケース本体の内部に該開口を臨む態様で形成された収納室と、前記収納室に上下方向に沿って複数段設けられ、収納対象となる商品を載置する商品載置棚とを備え、前記商品を所望の温度に調整するショーケースにおいて、
前記商品載置棚は、
前記収納室に設けられた支持部材と、
商品を載置する商品載置面を有し、かつ前端部が支持軸を介して前記支持部材に支持されることにより前記支持軸を中心に後端縁部が前記支持部材に対して上下に移動可能に配設された棚板と、
前記支持部材に上方位置と下方位置との間で上下に移動可能に配設され、下方位置に配置された場合には前記棚板を水平姿勢にさせる一方、上方位置に配置された場合には前記棚板を前端縁部が低くなる態様で傾斜させた傾斜姿勢にさせる棚ガイド部材と、
前記棚板の下方域に設けられ、前記収納室の背面を構成する背面パネルに形成された吐出口から吐出された空気を、前端縁部が前記棚板との間で形成したガイド吹出口より吹き出すことによって前記収納室の前方部分にエアカーテンを形成する通風ガイド部材と
を備え、
前記通風ガイド部材は、前記棚板が前記水平姿勢又は前記傾斜姿勢とされても、前記ガイド吹出口の開口面積が維持されるよう配設されたことを特徴とするショーケース。
【請求項２】
前記通風ガイド部材は、前端部が前記棚ガイド部材に取り付けられたことを特徴とする請求項１に記載のショーケース。
【発明の詳細な説明】
【技術分野】
【０００１】
本発明は、ショーケースに関するものである。
【背景技術】
【０００２】
従来、収納対象となる商品を所望の冷却温度に保持するショーケースが特許文献１に提案されている。
【０００３】
この特許文献１に提案されているショーケースでは、前面に開口を有したケース本体の収納室に、複数の商品載置棚が上下方向に沿って複数段設けられており、それぞれの商品載置棚に商品が載置されている。また、ケース本体の内部であって収納室外となる個所には、収納室の前方下部に形成された吸込口を通じて吸い込まれた収納室の内部空気の通風路が形成されており、この通風路には蒸発器が設置されている。かかる通風路を通過する空気は、蒸発器で冷却され、その後に収納室の前方上部に形成された吹出口より吹き出される。吹出口より吹き出された空気が吸込口に吸い込まれて通風路を循環することによって、収納室の内部空気が冷却されて商品が所望の冷却温度に保持される。
【０００４】
上記ショーケースにおいては、収納室の背面を構成する背面パネルに吐出口が設けられるとともに、各商品載置棚の下方域に通風ガイド部材が設けられている。吐出口は、通風路を通過して蒸発器に冷却された空気を収納室に吐出するための開口である。
【０００５】
通風ガイド部材は、商品載置棚を構成し、かつ収納室に前方に向けて配設された支持部材に取り付けられている。また通風ガイド部材は、前端縁部が商品載置棚を構成する棚板との間でガイド吹出口を形成している。このような通風ガイド部材は、吐出口から吐出された空気を該ガイド吹出口より吹き出することにより、上記吹出口より吹き出される空気と合流させて収納室の前方部分にエアカーテンを形成するものである。
【先行技術文献】
【特許文献】
【０００６】
【特許文献１】特開２０１６−２６５２６号公報
【発明の概要】
【発明が解決しようとする課題】
【０００７】
ところで、上記ショーケースに適用される商品載置棚においては、載置される商品の見易さの向上を図る観点等から、棚板が前端縁部が低くなる態様で傾斜した傾斜姿勢となるものが知られている。
【０００８】
しかしながら、棚板が傾斜姿勢となってしまうと、かかる棚板と通風ガイド部材の前端縁部とで形成されるガイド吹出口の開口面積が増大又は減少してしまう。このようにガイド吹出口の開口面積が増大してしまうと、ガイド吹出口から吹き出される空気の方向性が定まらなくなり、吹出口から吹き出される空気との合流が困難になり、良好なエアカーテンが形成されない虞れがあった。一方、ガイド吹出口の開口面積が減少してしまうと、ガイド吹出口から吹き出される空気の量が不十分なものとなり、結果的に良好なエアカーテンが形成されない虞れがあった。このように良好なエアカーテンが形成されてないと、冷却性能の低下を招来して好ましくない。尚、ここでは蒸発器を設置して冷却性能について言及したが、ヒータ等の加熱手段を設置した場合には加熱性能の低下を招来することになる。
【０００９】
本発明は、上記実情に鑑みて、エアカーテンを良好に形成して温度調整能力の低下を抑制することができるショーケースを提供することを目的とする。
【課題を解決するための手段】
【００１０】
上記目的を達成するため、本発明に係るショーケースは、前面に開口を有したケース本体の内部に該開口を臨む態様で形成された収納室と、前記収納室に上下方向に沿って複数段設けられ、収納対象となる商品を載置する商品載置棚とを備え、前記商品を所望の温度に調整するショーケースにおいて、前記商品載置棚は、前記収納室に設けられた支持部材と、商品を載置する商品載置面を有し、かつ前端部が支持軸を介して前記支持部材に支持されることにより前記支持軸を中心に後端縁部が前記支持部材に対して上下に移動可能に配設された棚板と、前記支持部材に上方位置と下方位置との間で上下に移動可能に配設され、下方位置に配置された場合には前記棚板を水平姿勢にさせる一方、上方位置に配置された場合には前記棚板を前端縁部が低くなる態様で傾斜させた傾斜姿勢にさせる棚ガイド部材と、前記棚板の下方域に設けられ、前記収納室の背面を構成する背面パネルに形成された吐出口から吐出された空気を、前端縁部が前記棚板との間で形成したガイド吹出口より吹き出すことによって前記収納室の前方部分にエアカーテンを形成する通風ガイド部材とを備え、前記通風ガイド部材は、前記棚板が前記水平姿勢又は前記傾斜姿勢とされても、前記ガイド吹出口の開口面積が維持されるよう配設されたことを特徴とする。
【００１１】
また本発明は、上記ショーケースにおいて、前記通風ガイド部材は、前端部が前記棚ガイド部材に取り付けられたことを特徴とする。
【発明の効果】
【００１２】
本発明によれば、商品載置棚を構成する通風ガイド部材が、商品載置棚を構成する棚板が水平姿勢又は傾斜姿勢とされても、ガイド吹出口の開口面積が維持されるよう配設されているので、ガイド吹出口から吹き出される空気の方向性、並びに吹出量を安定させることができ、収納室の前方部分にエアカーテンを良好に形成して温度調整能力の低下を抑制することができるという効果を奏する。
【図面の簡単な説明】
【００１３】
【図１】図１は、本発明の実施の形態であるショーケースの内部構造を模式的に示す断面側面図である。
【図２】図２は、図１に示した１つの商品載置棚を示す斜視図である。
【図３】図３は、図１に示した１つの商品載置棚を示す分解斜視図である。
【図４】図４は、図２及び図３に示した左方の支持ユニットの分解斜視図である。
【図５】図５は、図４に示した支持部材の分解斜視図である。
【図６】図６は、図５に示したブラケット部材を示す斜視図である。
【図７】図７は、図４に示した支持部材の要部を示す側面図である。
【図８】図８は、図２及び図３に示した左方の支持ユニットを示す斜視図である。
【図９】図９は、図２及び図３に示した左方の支持ユニットを示す側面図である。
【図１０】図１０は、図２及び図３に示した左方の支持ユニットを示す側面図である。
【図１１】図１１は、図８〜図１０に示した棚ガイド部材に取り付けられた通風ガイド部材を示す斜視図である。
【図１２】図１２は、図８〜図１０に示した棚ガイド部材に取り付けられた通風ガイド部材を示す斜視図である。
【図１３】図１３は、図２及び図３に示した商品載置棚の断面側面図である。
【図１４】図１４は、図２及び図３に示した商品載置棚の断面側面図である。
【発明を実施するための形態】
【００１４】
以下に添付図面を参照して、本発明に係るショーケースの好適な実施の形態について詳細に説明する。
【００１５】
図１は、本発明の実施の形態であるショーケースの内部構造を模式的に示す断面側面図である。ここで例示するショーケースは、ケース本体１を備えている。
【００１６】
ケース本体１は、前面に開口（以下、前面開口ともいう）１ａを有した直方状の断熱筐体である。このケース本体１は、その内部に収納室２が画成されているとともに、空気循環手段１０が設けられている。
【００１７】
収納室２は、前面開口１ａを臨む態様で画成された室であり、複数の商品載置棚２０が上下方向に沿って並べて配設されている。これら商品載置棚２０は、それぞれ商品を載置するためのものであり、その構成については後述する。かかる収納室２の底部にはデッキパン３が配設されている。このデッキパン３は、商品載置棚２０と同様に、商品を載置するためのものである。
【００１８】
また収納室２の背面を構成して該収納室２を画成する背面パネル４には、複数の吐出口５が形成されている。これら吐出口５は、複数の高さレベルにおいて左右方向に沿って所定間隔毎に形成された開口である。より詳細に説明すると、吐出口５は、各商品載置棚２０の下部において、左右方向に沿って所定間隔毎に形成されている。
【００１９】
更に収納室２の前方下部には吸込口６が形成されているとともに、収納室２の前方上部には吹出口７が形成されている。吸込口６は、収納室２の内部空気を吸い込むための開口であり、収納室２の左右方向に沿って延設されている。
【００２０】
吹出口７は、前側吹出口７ａ及び後側吹出口７ｂを有しており、それぞれ収納室２の内部に空気を吹き出すための開口である。これら吹出口７は、それぞれが収納室２の左右方向に沿って延設されている。これら吹出口７には、例えばハニカム構造の整流部材が設けられている。
【００２１】
空気循環手段１０は、通風路１１と循環ファン１２とを備えて構成されている。通風路１１は、吸込口６から吹出口７及び各吐出口５に至る空気の風路である。
【００２２】
このような通風路１１は、収納室２の外部であってその下方に位置する下方側通風路１１ａと、収納室２の外部であってその背面側に位置する第１背面側通風路１１ｂと、収納室２の外部であってその上方にある上方側通風路１１ｃとが互いに連通された態様で構成されている。
【００２３】
また通風路１１は、上方側通風路１１ｃが２つに分かれており、上方側となる外方風路１１ｃ１が前側吹出口７ａに通じている。また、下方側となる内方風路１１ｃ２は、途中の分岐個所１３で２つに分岐しており、一方が後側吹出口７ｂに通じており、他方が第２背面側通風路１１ｄに通じている。
【００２４】
第２背面側通風路１１ｄは、収納室２の背面側において上下方向に沿って延在している。この第２背面側通風路１１ｄは、第１背面側通風路１１ｂの前方側で延設されていて、該第１背面側通風路１１ｂと区画されている。かかる第２背面側通風路１１ｄは、背面パネル４に形成された各吐出口５に連通しており、通風路１１を構成するものである。
【００２５】
循環ファン１２は、図示せぬ制御手段から与えられる指令により駆動して空気を循環させるものであり、下方側通風路１１ａの所定個所に設置されている。本実施の形態においては、循環ファン１２は下方側通風路１１ａの所定個所に設置されているが、本発明では、循環ファン１２の設置個所は特に限定されるものはなく、後述する循環ファン１２の機能を発揮することができる個所であればどこに設置されても構わない。
【００２６】
このような空気循環手段１０においては、循環ファン１２が駆動することにより、吸込口６を通じて収納室２の内部空気を吸い込み、吸い込んだ空気が通風路１１を通過する態様で各吹出口７及び各吐出口５まで送出し、各吹出口７及び各吐出口５を通じて収納室２の内部に空気を吹き出すことにより、収納室２の内部と外部との間で空気を循環させるものである。
【００２７】
上記内方風路１１ｃ２には、蒸発器１４が設置されている。すなわち、蒸発器１４は、ケース本体１において収納室２よりも上方域に設置されている。蒸発器１４は、圧縮機１５、凝縮器１６及び膨張機構１７とともに冷媒を循環させる冷媒循環手段を構成する。
【００２８】
ここに圧縮機１５は、制御手段から与えられる指令により駆動するもので、冷媒を圧縮するものである。凝縮器１６は、圧縮機１５で圧縮された冷媒を凝縮させるものである。膨張機構１７は、凝縮器１６で凝縮された冷媒を減圧して断熱膨張させ、低温低圧の状態にさせるものである。
【００２９】
蒸発器１４は、循環ファン１２が駆動することにより内方風路１１ｃ２を後方から前方に向けて通過する空気と、膨張機構１７で断熱膨張させて低温低圧の冷媒とを熱交換させるもの、より詳細には、冷媒を蒸発させることにより内方風路１１ｃ２を通過する空気を冷却するものである。この蒸発器１４で蒸発した冷媒は、圧縮機１５に吸引され、該圧縮機１５で再び圧縮されて循環する。
【００３０】
かかるショーケースにおいては、制御手段から与えられる指令により循環ファン１２及び圧縮機１５を駆動させると、収納室２の内部空気は、吸込口６を通じて吸い込まれ、下方側通風路１１ａ及び第１背面側通風路１１ｂを通過し、上方側通風路１１ｃにおいて外方風路１１ｃ１及び内方風路１１ｃ２のいずれかに進入する。
【００３１】
外方風路１１ｃ１に進入した空気は、前側吹出口７ａに至り、該前側吹出口７ａから吹き出される。一方、内方風路１１ｃ２に進入した空気は、蒸発器１４を通過して冷却される。この蒸発器１４にて冷却された空気は、分岐個所１３にて２つに分岐され、一方の空気は後側吹出口７ｂに至り、該後側吹出口７ｂより吹き出される。また分岐個所１３で分岐された他方の空気は第２背面側通風路１１ｄに至り、それぞれの高さレベルの各吐出口５から吐出される。
【００３２】
吹出口７（前側吹出口７ａ及び後側吹出口７ｂ）から吹き出された空気は、その大部分が吸込口６に向けて流れる。各吐出口５から吐出される空気については後述する。
【００３３】
次に上記商品載置棚２０について説明する。尚、収納室２における各段の商品載置棚２０は、同様の構成を有したものである。従って、以下には１つの商品載置棚２０について説明を行う。
【００３４】
図２及び図３は、それぞれ図１に示した１つの商品載置棚２０を示すもので、図２は斜視図であり、図３は分解斜視図である。商品載置棚２０は、棚板２１と左右一対の支持ユニット２２とを備えて構成されている。
【００３５】
棚板２１は、販売商品が載置される部分であり、矩形状を成す棚枠２１ａの内部に載置板２１ｂを支持させることによって構成されている。
【００３６】
２つの支持ユニット２２は、互いに対称となるように構成されたものである。以下においては便宜上、２つの支持ユニット２２において互いに近接した方を内側と称し、互いに離反した方向を外側と称して説明する。また、左方の支持ユニット２２について説明し、右方の支持ユニット２２の説明は割愛する。
【００３７】
図４は、図２及び図３に示した左方の支持ユニット２２の分解斜視図である。この図４に示すように、支持ユニット２２は、支持部材３０と、基準部材４１と、棚ガイド部材４２とを有している。
【００３８】
支持部材３０は、図１に示すように、背面パネル４の両側前面に取り付けられた棚支柱８から前方に突出するように配設されたものである。この支持部材３０は、図５に示すように、ブラケット部材３１及び補助側壁部材３２を備えて構成されている。
【００３９】
ブラケット部材３１は、支持部材３０のベースとなるもので、基壁部３１１、上壁部３１２及び係止壁部３１３を一体に成形することによって構成されている。
【００４０】
基壁部３１１は、前後方向が長手方向となる長尺状部分である。この基壁部３１１の後端部には、棚支柱８に係止するための係止片３１１ａが該基壁部３１１の後端縁部３１１ｂより後方に突出する態様で設けられている。かかる係止片３１１ａを棚支柱８に設けられた装着孔（図示せず）に挿入させることにより、該係止片３１１ａと基壁部３１１の後端縁部３１１ｂとの協働により、ブラケット部材３１を棚支柱８の任意の高さに略水平の片持ち状態で支持させることが可能である。
【００４１】
上壁部３１２は、基壁部３１１の上端から内側（図５では右方）に向けて略直角に屈曲した平板状部分である。係止壁部３１３は、基壁部３１１の前端部の下端から内側に向けて略直角に屈曲した部分である。
【００４２】
このようなブラケット部材３１の基壁部３１１の後端部には、補強板３３が取り付けられている。補強板３３は、図６に示すように、例えば鋼板等により形成され、左右方向が長手方向となる長尺状部材である。この補強板３３は、左右のブラケット部材３１の相互間を連結するものである。
【００４３】
補助側壁部材３２は、前後方向が長手方向となる長尺状部材である。この補助側壁部材３２の下端部分は、外側（図５では左方）に向けて略直角に屈曲して形成されている。また補助側壁部材３２の前端部の上端部分は、外側に向けて略直角に屈曲して形成されている。
【００４４】
このような補助側壁部材３２は、スライダ３４を介してブラケット部材３１の基壁部３１１の内側に取り付けられている。スライダ３４は、従来公知のものであるので、その説明は割愛する。これにより、補助側壁部材３２は、ブラケット部材３１に対して前後方向に沿ってスライド移動可能である。
【００４５】
上記補助側壁部材３２には、ストッパ部３２１及び棚支持部３２２が設けられている。ストッパ部３２１は、例えば樹脂により成形されたものであり、補助側壁部材３２の前端部分に係合されている。このストッパ部３２１は、従来公知のものであり、補助側壁部材３２が最も後方に配置される場合に、図４に示したように、一部が係止壁部３１３に係止して補助側壁部材３２が前方に向けてスライド移動することを規制するものである。
【００４６】
棚支持部３２２は、棚支持基部３２２ａと棚支持取付部３２２ｂとを一体に成形することによって構成されている。棚支持基部３２２ａは、補助側壁部材３２の内側面（図５では右側面）に対向する平板状部分である。この棚支持基部３２２ａの中央部分には棚支持貫通孔３２２ａ１（図７参照）が形成されている。棚支持取付部３２２ｂは、棚支持基部３２２ａの上端より外側（図５では左方）に向けて略直角に屈曲して形成された平板状部分である。
【００４７】
このような棚支持部３２２は、補助側壁部材３２の前端部に形成された図示せぬ支持孔を内側から貫通する支持軸３２３が棚支持貫通孔３２２ａ１を外側から貫通して取り付けられることにより、該補助側壁部材３２に対して該支持軸３２３を中心に回動可能である。そして、棚支持部３２２は、図７に示すように、棚支持取付部３２２ｂが棚枠２１ａの左側部の前端部の下部に取り付けられている。これにより、棚板２１は、前端部が支持軸３２３（棚支持部３２２）を介して補助側壁部材３２に支持され、支持軸３２３を中心に後端縁部が補助側壁部材３２に対して上下に移動可能に配設されている。
【００４８】
支持ユニット２２の基準部材４１は、図４に示したように、長尺状の平板状を成す基準上方壁部４１１と、基準上方壁部４１１の内側縁部から直角方向に延在する基準内方壁部４１２とを一体に成形することによって構成されている。この基準部材４１は、基準内方壁部４１２の外側面を補助側壁部材３２の内側面に対向させた状態で、基準上方壁部４１１をブラケット部材３１の上壁部３１２に取り付けることによって設置されている。
【００４９】
基準内方壁部４１２の内側面には、支点ピン４１２ａ、第１ガイドピン４１２ｂ、第２ガイドピン４１２ｃが設けられている。支点ピン４１２ａは、基準内方壁部４１２の内側面において前端部下方となる位置から内側に向けて突出するように設けられている。第１ガイドピン４１２ｂ及び第２ガイドピン４１２ｃは、それぞれ基準内方壁部４１２の内側面において中間部の上方となる位置から支点ピン４１２ａと平行に突出するように設けられている。基準内方壁部４１２の前方側に設けられたものが第１ガイドピン４１２ｂであり、基準内方壁部４１２の後方側に設けられたものが第２ガイドピン４１２ｃである。第２ガイドピン４１２ｃは、基準内方壁部４１２において第１ガイドピン４１２ｂよりも低い位置に設けられている。
【００５０】
棚ガイド部材４２は、ガイド上方壁部４２１、ガイド外方壁部４２２及びガイド内方壁部４２３を一体に成形することによって構成されている。ガイド上方壁部４２１は、基準部材４１の基準上方壁部４１１を覆うことのできる寸法に形成した長尺の平板状を成す部分である。ガイド外方壁部４２２及びガイド内方壁部４２３は、ガイド上方壁部４２１の側縁部からそれぞれ直角方向に延在した部分である。
【００５１】
ガイド外方壁部４２２は、ブラケット部材３１の上壁部３１２にガイド上方壁部４２１を重ね合わせた場合に基壁部３１１の上縁部を覆う大きさに形成されており、ガイド内方壁部４２３は、基準部材４１の基準内方壁部４１２を覆い隠す大きさに形成されている。
【００５２】
棚ガイド部材４２のガイド内方壁部４２３には、図４、図８〜図１０に示すように、支点ガイド溝４２３ａ、第１ガイド溝４２３ｂ、第２ガイド溝４２３ｃ、ストッパ凹部４２３ｄ、取付片４２３ｅが設けられている。
【００５３】
支点ガイド溝４２３ａは、基準部材４１の支点ピン４１２ａを相対的に移動可能に挿通することのできる切欠であり、ガイド内方壁部４２３の前端部下方において前後方向に沿って延在している。
【００５４】
第１ガイド溝４２３ｂは、基準部材４１の第１ガイドピン４１２ｂを相対的に移動可能に挿通することのできる切欠であり、第２ガイド溝４２３ｃは、基準部材４１の第２ガイドピン４１２ｃを相対的に移動可能に挿通することのできる切欠である。これら第１ガイド溝４２３ｂ及び第２ガイド溝４２３ｃは、支点ガイド溝４２３ａに含まれる共通の１点を中心として上下に円弧状に延在する部分を有するように構成されている。従って、第１ガイド溝４２３ｂ及び第２ガイド溝４２３ｃの円弧状に延在する部分において第１ガイドピン４１２ｂ及び第２ガイドピン４１２ｃを相対的に移動させれば、基準部材４１に対して棚ガイド部材４２を、基準部材４１の基準上方壁部４１１と棚ガイド部材４２のガイド上方壁部４２１とが互いに重なった下方位置から基準上方壁部４１１に対してガイド上方壁部４２１が傾斜した上方位置までの間に移動させることが可能である。
【００５５】
図からも明らかなように、ガイド内方壁部４２３に形成した第２ガイド溝４２３ｃは、円弧状に延在した部分の下端がそのままガイド内方壁部４２３の下縁に開口しており、第２ガイドピン４１２ｃが挿通した状態を解除することが可能である。これに対して第１ガイド溝４２３ｂは、閉じた切欠であり、円弧状に延在した部分４２３ｂ１の下端部からガイド内方壁部４２３の前方側に向けて漸次上方に湾曲するように延在した部分４２３ｂ２を有している。これら第１ガイド溝４２３ｂ及び第２ガイド溝４２３ｃは、第１ガイド溝４２３ｂの円弧状に延在した部分４２３ｂ１と上方に湾曲する部分４２３ｂ２との接続部分に第１ガイドピン４１２ｂが位置した場合、第２ガイド溝４２３ｃにおいては第２ガイドピン４１２ｃの挿通状態が解除されるようにそれぞれの寸法が設定してある。
【００５６】
ガイド内方壁部４２３のストッパ凹部４２３ｄは、第２ガイドピン４１２ｃが嵌合することのできる凹所であり、ガイド内方壁部４２３の下縁部に形成されている。このストッパ凹部４２３ｄは、第１ガイド溝４２３ｂにおいて第１ガイドピン４１２ｂが上方に湾曲する部分４２３ｂ２の上端に達した場合に第２ガイドピン４１２ｃが嵌合できるように、第２ガイド溝４２３ｃよりも前方側となる位置に形成されている。
【００５７】
取付片４２３ｅは、ガイド内方壁部４２３の後端部に形成された舌片状部分を内側（図４では右方）に屈曲させて形成されている。かかる取付片４２３ｅには、図１１及び図１２に示すように、通風ガイド部材５０が取り付けられている。
【００５８】
通風ガイド部材５０は、例えば鋼板等から形成されており、左右方向が長手方向となる長尺状部材である。この通風ガイド部材５０は、前方に向かうに連れて漸次上方に湾曲しながら延在する通風ガイド基部５１と、この通風ガイド基部５１の前端縁部より上方に向けて屈曲された通風ガイド上延部５２とが一体に成形されて構成されている。そして、通風ガイド部材５０は、通風ガイド基部５１の前端部の両端部分が棚ガイド部材４２の取付片４２３ｅの下面に重なるようにして取付ピン５５により取り付けられている。また、通風ガイド上延部５２の上端縁部５２ａは、棚板２１（載置板２１ｂ）との間にガイド吹出口９を形成している（図１３及び図１４参照）。尚、通風ガイド部材５０においては、通風ガイド上延部５２の上端縁部５２ａが前端縁部を構成している。
【００５９】
上記のように構成した商品載置棚２０においては、図９に示すように、第１ガイドピン４１２ｂを第１ガイド溝４２３ｂにおいて円弧状に延在した部分４２３ｂ１の上端部に位置させ、かつ第２ガイドピン４１２ｃを第２ガイド溝４２３ｃの上端部に位置させた場合、基準部材４１の基準上方壁部４１１に対してガイド上方壁部４２１が重ね合わされた状態となり、棚ガイド部材４２が下方位置に配置される。このように棚ガイド部材４２が下方位置に配置されることで、図１３に示すように、ガイド上方壁部４２１に当接する棚板２１（載置板２１ｂ）を水平姿勢にさせることができる。
【００６０】
棚板２１が水平姿勢となる場合、背面パネル４の吐出口５から吐出された空気は、図１３に示したように、通風ガイド部材５０の上方域を後方から前方に向けて通過し、該通風ガイド上延部５２の上端縁部５２ａと棚板２１とにより形成されるガイド吹出口９より前方に向けて吹き出される。このようにガイド吹出口９より吹き出された空気は、上述した吹出口７（前側吹出口７ａ及び後側吹出口７ｂ）から吸込口６に向けて流れる空気と合流して、収納室２の前方部分にエアカーテンを形成する。このようにエアカーテンを形成することにより、外部からの熱の侵入を抑制しつつ、収納室２の内部空気を冷却することができ、商品載置棚２０に載置された商品を良好に冷却することができる。
【００６１】
棚ガイド部材４２が下方位置に配置された状態から、支点ガイド溝４２３ａに挿通された支点ピン４１２ａを中心として棚ガイド部材４２の後端部を基準部材４１に対して上方に移動させ、第２ガイド溝４２３ｃから第２ガイドピン４１２ｃを逸脱させた後、第１ガイドピン４１２ｂを第１ガイド溝４２３ｂにおいて上方に湾曲する部分４２３ｂ２に移行させると、基準部材４１に対して棚ガイド部材４２が後方側に移動することになる。従って、図１０に示すように、第１ガイドピン４１２ｂを第１ガイド溝４２３ｂにおいて上方に湾曲する部分４２３ｂ２の上端に移行させれば、第２ガイドピン４１２ｃを棚ガイド部材４２のストッパ凹部４２３ｄに嵌合させることができる。
【００６２】
この状態においては、基準部材４１の基準上方壁部４１１に対して棚ガイド部材４２のガイド上方壁部４２１が前方に向けて漸次下方に傾斜するように棚ガイド部材４２が上方位置に配置される。このように棚ガイド部材４２が上方位置に配置されることで、図１４に示すように、ガイド上方壁部４２１に当接する棚板２１（載置板２１ｂ）を前方に向けて漸次下方に傾斜した傾斜姿勢にさせることができる。
【００６３】
ところで、通風ガイド部材５０は、通風ガイド基部５１の前端部が棚ガイド部材４２の取付片４２３ｅに取り付けられていることにより、棚ガイド部材４２が下方位置から上方位置に配置されると、該棚ガイド部材４２に追従する。そして、通風ガイド上延部５２の上端縁部５２ａと棚板２１との離間距離が維持されるので、ガイド吹出口９の開口面積が維持される。つまり、通風ガイド部材５０は、棚板２１が水平姿勢又は傾斜姿勢とされても、ガイド吹出口９の開口面積が維持されるよう配設されている。
【００６４】
このようにガイド吹出口９の開口面積が維持されているので、棚板２１が傾斜姿勢となっても、ガイド吹出口９より吹き出された空気は、吹出口７（前側吹出口７ａ及び後側吹出口７ｂ）から吸込口６に向けて流れる空気と合流して、収納室２の前方部分にエアカーテンを形成することができる。そして、エアカーテンを形成することにより、外部からの熱の侵入を抑制しつつ、収納室２の内部空気を冷却することができ、商品載置棚２０に載置された商品を良好に冷却することができる。
【００６５】
以上説明したように、本発明の実施の形態であるショーケースによれば、通風ガイド部材５０は、棚板２１が水平姿勢又は傾斜姿勢とされても、ガイド吹出口９の開口面積が維持されるよう配設されているので、ガイド吹出口９から吹き出される空気の方向性、並びに吹出量を安定させることができ、収納室２の前方部分にエアカーテンを良好に形成して冷却能力（温度調整能力）の低下を抑制することができる。
【００６６】
以上、本発明の好適な実施の形態について説明したが、本発明は種々の変更を行うことができる。
【００６７】
本発明においては、通風ガイド部材５０の両側部に、該通風ガイド部材５０と棚板２１との開口を閉塞する閉塞部材を設置してもよい。これによれば、対応する吐出口５より吐出される空気のすべてをガイド吹出口９に向けて通過させることができる。
【００６８】
上述した実施の形態では、通風ガイド部材５０が例えば鋼板等により形成されていたが、本発明においては、通風ガイド部材は、柔軟な樹脂材により形成されていてもよく、しかも棚板が水平姿勢又は傾斜姿勢とされてもガイド吹出口の開口面積が維持されるのであれば、棚ガイド部材に設けられていなくてもよい。
【符号の説明】
【００６９】
１  ケース本体
１ａ  前面開口
２  収納室
４  背面パネル
５  吐出口
６  吸込口
７  吹出口
９  ガイド吹出口
１０  空気循環手段
１１  通風路
１２  循環ファン
１４  蒸発器
２０  商品載置棚
２１  棚板
２２  支持ユニット
３０  支持部材
３２３  支持軸
４１  基準部材
４２  棚ガイド部材
５０  通風ガイド部材
【図１】
2018130335.tif 000003
【図２】
2018130335.tif 000004
【図３】
2018130335.tif 000005
【図４】
2018130335.tif 000006
【図５】
2018130335.tif 000007
【図６】
2018130335.tif 000008
【図７】
2018130335.tif 000009
【図８】
2018130335.tif 000010
【図９】
2018130335.tif 000011
【図１０】
2018130335.tif 000012
【図１１】
2018130335.tif 000013
【図１２】
2018130335.tif 000014
【図１３】
2018130335.tif 000015
【図１４】
2018130335.tif 000016